(57)【特許請求の範囲】
【請求項１】
三つの電子ビームスルーホールが水平方向に配列するように形成される電極と、
前記電極と対応して上下部が中央部において最大の垂直方向の径を有するように膨らんだ曲面で形成され、前記電極のスクリーン面に接続固定される主レンズ電極とから構成されることを特徴とするカラーブラウン管用電子銃の電極。
【請求項２】
前記主レンズ電極は、前記電子ビームスルーホールの周辺に設けられ、前記主レンズ電極は、その開口部径が前記電子ビームスルーホールから離れるにしたがって段階的に大きくなるように、多段に積層形成されることを特徴とする請求項１に記載のカラーブラウン管用電子銃の電極。
【請求項３】
前記主レンズ電極は、前記電子ビームスルーホールの周辺に設けられ、前記主レンズ電極は、その開口部が前記電子ビームスルーホールから離れるにしたがって漸進的に拡管されるプレートで形成してなることを特徴とする請求項１に記載のカラーブラウン管用電子銃の電極。
【請求項４】
前記主レンズ電極に形成される前記最大の垂直方向の径が水平方向の径に比べて、４７％以上の大きさを有するように形成してなることを特徴とする請求項１乃至３のいずれかに記載のカラーブラウン管用電子銃の電極。
【発明の詳細な説明】
【０００１】
【産業上の利用分野】
本発明は、カラーブラウン管用電子銃に関し、更に詳しくは、主電極の構造を改善してスクリーン部の大型化および横長化に伴ってフォーカス特性が劣化することを防止することができるようにした電子銃のフォーカス電極に関するものである。
【０００２】
【従来の技術】
一般に、カラーブラウン管用電子銃は、電子ビームを放出して、これを蛍光体が塗布されているスクリーン上に収束させることにより、スポット形の画素を形成する役割を果たす。
【０００３】
上記のような役割を果たす電子銃が封入されているファンネルのネック部の直径は２２ｍｍ、あるいは２９ｍｍ，３２ｍｍなどの規格がある。
【０００４】
第１図は、これらのうち、２９ｍｍのネック部１に電子銃を封入した主電極２側の断面状態を示す。
【０００５】
上記主電極２の内部には、３つの電極ビームスルーホール３が形成されるように、図２ｂの断面図に示すような補助電極４が設けられる。
【０００６】
このような主電極２の主レンズ径は、電子銃から発射された電子ビームのフォーカス特性を向上させるため、出来るだけ大きくするのが更に有利である。
【０００７】
この際、大口径の主電極の主レンズ径は、ネック部１の内面と当接しないように、一定の間隔を保持しなければならない。
【０００８】
これは、電子銃とネック部１の内面との間で放電が生じないようにするためである。すなわち、ネック部１の直径が２９ｍｍのブラウン管において、上記ネック部１の横方向には主電極２の長辺が位置され、縦方向には主電極２の短辺と共に電子銃の複数の電極及び部品を等間隔に固定するビートガラス５が設けられる。
【０００９】
この時、図１において、ネック部１の直径が２９ｍｍの場合、主電極２の最外周の横方向（ｘ）の寸法が２２ｍｍ程度になるように設けられるので、縦方向（ｙ）の寸法も横方向の寸法に等しく設計される。
【００１０】
このような設計値によって、主電極２の主レンズ径は、図２でのように、横方向の径（Ａ）が１９ｍｍ程度になり、そして、縦方向の径（Ｂ）はビードガラスの設置面積を考慮して８ｍｍ程度の長孔形に製作される。
【００１１】
この際、主電極の主レンズがバーニング作業により内側に形成されることにより、開口部には外側フレーム２ａが形成され、この外側フレーム２ａの幅（Ｃ）は上下それぞれ１ｍｍ程度の幅を持って形成される。
【００１２】
このような主レンズ径は、先に述べたように、図２のような長孔形ではなく、円形に製作されるのが最適であるが、各電極を等間隔に固定するビードガラス５の設置面積を考慮しなければならないという側面と、主レンズを形成する電極を一切加工しなければならないという生産性の側面とから、円形ではなく、長孔形の電極を採用するしかない実情である。
【００１３】
これにより、主レンズ径が長孔形に形成される主電極２は、水平方向の径（Ａ）が垂直方向の径（Ｂ）よりも大きくなるため、主電極２に電圧を印加する場合には、水平方向の実効的な径が垂直方向の径よりも大きいので、電位の侵入が水平方向が著しくなり、水平方向のレンズ収束力が垂直方向の収束力よりも弱化されてしまい、電子ビームが電極を通過しながら収束されるまでの非点収差が大きくなった。
【００１４】
すなわち、水平方向の電子軌道の収束点と垂直方向の電子軌道の収束点とを比較すると、垂直方向においてスクリーンの収束点が短くなるので、スクリーン上のビームスポットは水平方向の径が垂直方向の径よりも大きくなり、水平方向の解像度を劣化させることになるものである。
【００１５】
従って、図１及び図２のように、主電極２内に３つの楕円形になる電子ビームスルーホール３が形成されるように、補助電極４を設け、水平方向の径（Ａ）が垂直方向の径（Ｂ）よりも小さくなるように調節することにより、水平、垂直の両方向の電子ビーム収束力を調節し、非点収差を除去するようにしている。
【００１６】
【発明が解決しようとする課題】
しかし、このような従来の電子銃は、大口径の主電極２において水平方向の径（Ａ）と垂直方向の径（Ｂ）との差に起因する比点収差を減らすために、主電極２内に水平方向の径（Ａ）よりも垂直方向の径（Ｂ）が大きい楕円形の電子ビームスルホール３が形成されるように別途の補助電極４を設けられなければならないので、生産性が低下することはもちろん、電子銃の組立てプロセス時にも円形状の電子ビームスルーホールを基準に位置決定を行ってこれを組立したが、円形状と楕円形状との電子ビームスルーホール３が混在していることにより、補助電極４の微小変形によって組立精度が劣化した。
【００１７】
特に、主電極２内に縦長楕円形の電子ビームスルーホール３が形成された直後方に近接させて補助電極４を設けるので、補助電極４が容易に変形され、これによりフォーカス特性が劣化するという問題点があった。
【００１８】
本発明の目的は、上記従来の問題点を解消するためになされたもので、主電極の水平方向の径と垂直方向の径との差が大きくなることにより生じる非点収差を主電極の垂直方向の径を大きくして非点収差をなくすことが出来るようにすることにある。
【００１９】
【課題を解決するための手段】
上記目的を達成するため、本発明によれば、三つの電子ビームスルーホールが水平方向に配列するように形成される電極と、前記電極と対応して上下部が中央部において最大の垂直方向の径を有するように膨らんだ曲面で形成され、前記電極のスクリーン面に接続固定される主レンズ電極とから構成されることを特徴とするカラーブラウン管用電子銃の電極が提供される。
【００２０】
本発明の第２の特徴によれば、前記主レンズ電極は、前記電子ビームスルーホールの周辺に設けられ、前記主レンズ電極は、その開口部径が前記電子ビームスルーホールから離れるにしたがって、段階的に大きくなるように多段に積層形成され、あるいは漸進的に拡管されるプレートで形成してなる。
【００２１】
【実施例】
以下、本発明の１実施例を添付された図３を参照して更に詳細に説明すれば、次の通りである。
【００２２】
図３は、本発明の１実施例による主電極の要部を示す正面図及びその縦断面図であって、本発明は、電極６に３つの電子ビームスルーホール７を一体に形成し、上記電極６の前面部に上下部が湾曲される垂直方向の径（Ｂ′）を有する主レンズ電極（８）を接続・固定する。
【００２３】
これは、従来の構造である図２ｂに比べて、主電極のバーニング作業によって生じる外側フレーム（２ａ）を除去し、これらの幅による約２ｍｍ程度の主電極の垂直方向の径を更に拡大させることが出来るようにしたものである。
【００２４】
ここで、約２ｍｍ程度の数字は微弱であるが、この大きさの拡大に伴う性能向上は著しいものであり、この拡大される大きさは、電子銃のネック部の径が更に大きくなるほど拡大されるものである。
【００２５】
このようにして、従来には主レンズ電極の垂直方向の径（Ｂ）が水平方向の径（Ａ）に対し、約４２％程度の大きさのみを有するように形成されたが、本発明においては、垂直方向の径（Ｂ′）が水平方向の径（Ａ）に比べて、４７％以上の大きさを有するように形成される。
【００２６】
また、本発明の１実施例においては、電極６の一方に図３のような主レンズ電極８を固定させた状態を説明しているが、他の実施例に示す図４ａのように上記電極６の一方に開口部が漸次に大きくなるように主レンズ電極８を多段に積層させたり、あるいは図４ｂのように開口部が漸進的に拡管されるように、プレートで形成させることにより、主電極の垂直方向の径の大きさを拡大させる。
【００２７】
【発明の効果】
このようにして、本発明は、電極８に一方に垂直方向の径（Ｂ′）が従来の垂直方向の径よりも大きい別途の主レンズ電極８が電極６と当接しながら設けられるので、組立プロセスの容易さによる生産性を向上させることが出来、かつ主レンズ電界強度を空間的に構成しながら、スクリーン面側に拡張させることが出来るので、従来の電子銃より著しいフォーカス特性を得ることが出来るという効果が得られる。
【図面の簡単な説明】
【図１】従来のブラウン管のネック部の縦断面図である。
【図２】図２ａは、従来の収束電極の正面図である。図２ｂは、従来の収束電極の縦断面図である。
【図３】図３ａは、本発明の１実施例による収束電極の要部を示す正面図である。図３ｂは、本発明の１実施例による主電極の要部を示す正面図である。
【図４】図４ａは、本発明の他の実施例を示す縦断面図である。図４ｂは、本発明の更に他の実施例を示す縦断面図である。
【符号の説明】
２ａ  外側フレーム
７  電子ビームスルーホール
８  主レンズ電極
Ａ  水平方向の径
Ｂ′  垂直方向の径
【図１】
0003575621.tif 000002
【図２】
0003575621.tif 000003
【図３】
0003575621.tif 000004
【図４】
0003575621.tif 000005